(57)【要約】本発明は、シャベルローダーの作業を受けるコンポストボックス（１、２）用の屋根翼片（７、８）を備える屋根構造に関する。この屋根構造は、周辺にガスケット（９、１０）を備えるため、周囲環境の衛生状態を改善する。凝縮物は構造化された被覆積層材（２０）によって当初の場所に再供給される。この積層材は、リッジ状の台（２２、２３）を備え、この台は半透過性ターポリン（２１）の覆いに接して格子状のパターンを形成する。これにより湿度保持とコンポストの品質が改善される。
2004501854.tif 000002
【特許請求の範囲】
【請求項１】
ボックス（１、２）のコンポストを覆ったり、むき出しにしたりする屋根において、すなわち後壁（５）と隔壁（６）とボックスドア翼片（３、４）との上に載っているブリッジ状のカバーという形態であって、好ましくはチルト運動によって開閉する屋根翼片（７、８）からなり、これら屋根翼片は屋根フレーム（７´、８´）と、呼吸性のターポリン（２１）からなってその上を覆うカバーと、操作装置とからなる上記の屋根において、屋根フレーム（７´、８´）が好ましくは周囲を取り囲むガスケット（９、１０）を備え、操作装置（２４から４２）は、選択によってあるいは屋根翼片（７、８）を開き、あるいは密閉しながら閉じるのに役立つ形態であることを特徴とする、上記の屋根。
【請求項２】
少なくとも１つの屋根フレーム（７´、８´）からなる請求項１に記載の屋根であって、屋根フレーム（７´、８´）が屋根パネル（１２）の取り付けに用いられることを特徴とするもの。
【請求項３】
リーフパネル（１２）がチェンジフレームとして形成され、好ましくはＵ型材フレーム（１４）からなることを特徴とする、請求項１または２に記載の屋根。
【請求項４】
屋根パネル（１２）が呼吸性かつ半透過性のターポリン（２１）を支持し、このターポリンはその屋根側に垂木状の台（２２、２３）を設けられることと、この台（２２、２３）は好ましくは縦横にならべて配置され、たがいに連結されて細かい格子状構造となることを特徴とする、請求項１から３のいずれか一項に記載の屋根。
【請求項５】
閉じた屋根翼片（７、８）は、コンポストボックス（１、２）の内圧に対抗して働く継続的な力によって押し付けられることを特徴とする、請求項１または２に記載の屋根。
【請求項６】
屋根翼片（７、８）を操作するため、好ましくは複動式の油圧シリンダー（３０、３１）を用いることを特徴とする、請求項１または２および５のいずれか一項に記載の屋根。
【請求項７】
屋根フレーム（７´、８´）が、柱（２７）、エルボアーム（３７、３８）、ならびにベルクランク（３４、３５）と関節式に連結していることを特徴とする、請求項１または２および５から７のいずれか一項に記載の屋根。
【請求項８】
油圧シリンダー（３０、３１）が柱（２７）の軸受台（３２、３３）およびベルクランク（３４、３５）のジョイントと連結していることを特徴とする、請求項１または２および５または６のいずれか一項に記載の屋根。
【請求項９】
屋根フレーム（７´、８´）の末端に、支持板（２４、２５）を持つベルクランクが形成され、この支持板（２４、２５）は柱（２７）と、ボルト（２６）によってヒンジ状に連結されていることを特徴とする、請求項１または２および５から７のいずれか一項に記載の屋根。
【請求項１０】
柱（２７）は壁面上端（１１）とともに隔壁（６）の上にあり、壁面上端（１１）は屋根翼片（７、８）の周囲を取り巻くフラットガスケット（９、１９）の圧迫面として用いられることを特徴とする、請求項１または２および５から７のいずれか一項に記載の屋根。
【発明の詳細な説明】
【０００１】
本発明は請求項１の上位概念に記載のコンポストボックスの屋根に関する。
【０００２】
腐植土の形成とは、死んだ植物的、動物的物質に対する地中動物および微生物による鉱物化、腐植土化の過程であって、これらの物質を次第に分解することにより自然の土壌を生じる。この過程は腐敗とも呼ばれ、１から２年継続する。固体有機物質の生物学的分解と変化を意図的にそして好気性微生物の影響のもとに行う場合、これはコンポスト化と呼ばれる。この場合何ヶ月もかけてごみから暗色の砕けやすい塊、すなわちコンポストと呼ばれるものが生じる。
ごみとは、家庭、事業所、工場、農場から生じる物質であって、もはや使用できないために除去されるべきものである。コンポスト化のおかげで、このごみという財産が栄養塩類（リン酸塩、窒素およびカリウム化合物、その他の腐植土物質）として再利用され、価値ある植物性栄養土に再構成される。コンポスト化は十分な給気と湿度があれば悪臭なしに進行するが、この方法は、工業的に制御、強制されたプロセスを行えば住宅地域の近隣の中でも使いこなせると、現代技術は主張している。この処理方法は、生物学的には分解できない異物、とくにプラスチックを除くことにより、そしてまた圧力換気による集中腐敗および再腐敗のもとに７週間で腐敗度ＩＩＩ〜ＩＶを達成できることによって、ごみ処理の可能性を提供する。このコンポストは続いて再処理を受け、すなわち篩い、風篩い、再分別、鉄類の磁力分別を行った上で使用に供されるか、あるいはより高度の要件を満たすために、４から５週間コンポスト化装置に保持されて追加成熟させられる。
【０００３】
給気を確実に行うために、コンポスト物には覆いをかけて、約１００〜２００Ｐａの過剰圧で通気する。コンポスト物の積み上げ、積み直し、搬出のためにシャベルローダーを備え、さらにコンポスト物の覆いの着脱はボタン操作で行われるので、ターポリンの着脱を行う次のようなコンポストボックスが使用されている。すなわち、堅牢な地盤と壁を持ち、アームで移し替えできる複数のセル（ＤＥ２９６１６７８８Ｕ１）およびターポリンを固定するための壁面の固定装置、あるいは上から見て四角形の構造で、それらが好ましくは列をなして配置されている場合、開放可能な正面と、巻上装置でチルトアップできる屋根翼片を備えるコンポストボックスである。
【０００４】
屋根翼片は２つの屋根翼片フレームからなり、屋根翼片のターポリンは呼吸性かつ半透過性ターポリンであって、閉じた状態では破風屋根を形成する。このターポリンはコンポスト物を風雨と過度の乾燥から保護し、同時にコンポスト化の際に生じる二酸化炭素ＣＯ２を逃す。湿度が高いときは空気が飽和状態となる温度が高くなり、ターポリンの表面温度は外気のあるいは外気近辺の温度なので、大量の水蒸気分子が低温の膜面で露点に達し、液化して凝結物となる。凝結物の水滴が屋根翼片フレームのヒンジの縁に流れないように、そしてある程度配分されて下に落下するように、張り渡された屋根翼片の内面は軸の平行な滴下用フィンで区分され、これらフィンの下の縁から滴下が生じる。
【０００５】
文書ＤＥ２９６１６７８８Ｕ１（８ページ、第３段落）からは、この覆いを気密にしないか、完全には気密にしないことが知られている。幻滅を味わったコンポストボックス設備運用者と近隣住民の苦情から、コンポストの生成には、運用者の人員や近隣住民に身体的、心理的な負担をあたえる排出物がつきものであることが知られている。最新の研究結果である（Ｋｏｍｐｏｓｔ　Ｍａｇａｚｉｎ　１９９９、１１ページ、ｗｗｗ．ｋｏｍｐｏｓｔ．ｃｈ）によれば、コンポストのエアロゾルの吸引は、明らかに病因となるものである。
【０００６】
コンポストボックスは古い構造であれ新しい構造であれこのような大きな欠点がある原因は、すでに認められている非気密性の外に、運用中に内圧（〜２００Ｐａ）により揚力（〜２００Ｎ／ｍ２）が生じ、この揚力は屋根構造の自重にほぼ相当するため、屋根翼片の静力学的状態が不安定となり、したがってコンポストボックスの屋根が正しく閉まらないためである。この不安定性のために、コンポストボックスの換気はコントロールを失い、したがってコンポスト物の水損失が増加することになる。天井に凝結した水は滴下用フィンへの経路を再循環するため、コンポスト物の水は継続的に配分し直されることになる。コンポスト物の液体膜が局部的に乾燥する場合、この配分し直しの結果は時がたつとともに致命的となる。なぜならば、それ以前は塵埃、発臭物質、そのほか細菌類、真菌類、ウィルスといった粒子を捕捉できた自然のフィルター作用が、水の欠乏とともに失われるからである。このように既存のコンポストボックスには欠陥があるため、健康上のリスクとみなされる潜在的有害排出物の危険がおのずから生じ、このことは住民にも意識されている。
【０００７】
下記に述べる本発明の課題は、この欠点を防止することである。この課題を解決するため、コンポストボックスに対して機械化された管理を行う次のような新しい屋根構造を提案する。すなわちエアロゾルがコントロールを失って流出するのを防止し、天井の凝縮物をその下のコンポストボックスの表面全体に均一に再循環させる屋根構造である。
【０００８】
本発明においてはこれを、上記タイプの四角形コンポストボックスの場合、屋根周縁を取り巻く形で密閉することと、内圧に対抗して働く連続的な閉じようとする力と、屋根フレーム上の屋根を次のような好ましくは統一的なパネルによって形成することによって解決する。すなわちこのパネルの表面は半透過性の積層材からなり、この積層材は呼吸性のものとし、また屋根の積層材側に垂木状の台を設け、この台は凝縮物の局部的な形成、析出を助けるため好ましくは細かい格子状の構造とする。
【０００９】
本発明のコンポストボックスにより、コントロールされた密閉性と凝縮物の均一に配分された還流とによって、環境に対するできるだけよい衛生状態と、コンポストの品質の向上を得ることができる。屋根翼片の操作装置によれば、屋根をチルトアップして開いたり閉じたりでき、しかも運転圧力が上昇したときでも、そしてまた風速がビューフォート風力階級４（風速５．５から７．９ｍ／ｓに相当）のときでも、屋根の密閉性が保証される。屋根パネルを使用することによって屋根翼片の剛性が向上し、取り付けの費用が軽減され、局部的修理が可能になることから屋根翼片の維持に好都合である。屋根パネルの構成部分は簡単に大量生産でき、貯蔵場所が節減でき、純粋機械的方法で製造、整備できるため、このシステムは現代工業技術とロジスティックスのすべての長所を示している。
【００１０】
下記に図面を用いて本発明の実施形態を具体的に説明する。
【００１１】
図１は、閉じたゲート翼片３、４を持つ閉じたコンポストボックス１の半分の見取図と、開いたコンポストボックス２のやはり半分の断面図を示す。図２は破風の拡大図であるが、この破風を形成するのは２つのオーバーラップする屋根翼片７、８であって、ここからは、フラットガスケット９に取り巻かれた短い方の屋根翼片７が、後壁５とゲート翼片３と、図６に示すように隔壁６の壁面上端１１とに支えられている。フラットガスケット１０に取り巻かれる長い方の屋根翼片８は、屋根翼片７の屋根翼片フレーム７´の正面、ゲート４の上端、後壁５、隔壁６の壁面上端１１（図６を参照）に支えられている。屋根翼片７、８の屋根フレーム７´、８´は溶接構造であって、有利な方法としては（図１、２、３、６に示すように）台形または正方形の中空ビーム型材からなるものとし、屋根パネル１２の取り付けと支持に用いられる（図２、３、４、６、７を参照）。オーバーラップする長い方の屋根翼片８の上端には、図２に示すように雨押さえ板１３を設けることができ、この雨押さえ板は屋根パネル１２の縁に沿って延びる。屋根フレーム７´、８´の板張りには屋根パネル１２を設ける。この屋根パネルは順次列を作って敷き詰められ、呼吸性ある被覆積層材２０を取り付けたり交換したりするためのチェンジフレームとして用いられる。この屋根パネルは、図３、４に示すように、有利な方法としてはそれぞれ留め繋ぎ面と直角の角継手１８を持つＵ型材フレーム１４を１つずつ備え、この角継手は選択によって取り外し可能または取り外し不可能な連結エレメント１９、たとえばねじまたはブラインドリベットと連結することができる。屋根パネル１２に被覆積層材２０を密閉固定するために、フラット型材１５と、六角穴および差し込みナット１７をともなう押しねじ１６とを設ける。これらを、操作と位置決めのため、Ｕ型材フレーム１４の穴に差し込まなければならない。
【００１２】
被覆積層材２０は、図５に示すように呼吸性で半透過性のターポリン２１を備え、屋根のターポリン側に好ましくは次のような台２２、２３を、すなわち幅約１ｍｍ、高さ約２ｍｍの覆い隠された垂木状の台を縦横にならべて配置し、たがいに細かい格子状に、かつメッシュ幅約５．０ｍｍで連結されるこのような台を備えている。屋根フレーム７´、８´と屋根１２の間の空隙と継ぎ目、ならびに屋根パネル１２の空隙と継ぎ目を密閉するには、シリコーンベースの継ぎ目ペーストや接着テープといった実証済みの金属組み立て手段が適している。
【００１３】
屋根パネル１２を固定するには、屋根フレーム７´、８´上で、図２から７に示すようにガセット板１６およびねじ１７を用いる。
【００１４】
屋根翼片７、８は、その隔壁６の側で支持板２４（図１参照）および支持板２５（図６、７参照）とベルクランク状に、柱２７のねじ２６によってチルト可能な方法で連結されている。この配置のおかげで、周りを取り囲むフラットガスケット１０は、隔壁６にそう箇所では、図６および７に示すように屋根翼片８のチルト運動の際には壁面上端１１からはずれ、降下の際には密閉しながら圧縮されるが、その際のせんだん力は無視し得る程度のものである。シャベルローダーがコンポスト物をコンポストボックス１、２のほぼ屋根翼片７、８が閉じる高さまで妨害なしに充てんできるよう、屋根翼片７は図１に示すように油圧シリンダー３１によって高くチルトアップされる。その際シリンダー３１は軸受台３３により、隔壁６の上にあってそこに固定されている柱２７の上で支えられ、そして柱２７上で軸受け４１に取り付けられているベルクランク３５をほぼ垂直に立てる。その結果屋根翼片７の軸受台４０に軸受されているエルボアーム３８は屋根翼片７を引き込む。
【００１５】
油圧シリンダー３０および３１は複動式なので、柱２７の軸受台３２に取り付けられた油圧シリンダー３０も引き込ませることができる。その結果、柱２７で軸受４２に取り付けられているベルクランク３４は引かれて水平ポジションとなり、したがってねじ２６（図６参照）を中心としてチルト可能な屋根翼片８は、軸受台３９に取り付けられているエルボアーム３７によって、屋根翼片７、ゲート翼片４、後壁５および壁面上端１１の上に押し付けられ、その際屋根翼片８の下端に取り付けられた周りを取り巻くフラットガスケット１０が、密閉しながら圧縮される。
【図面の簡単な説明】
【図１】
２つの隣接するコンポストボックス半分ずつの見取図。ゲートおよび屋根、付属する屋根操作装置のそれぞれ開いているものと閉まっているものの両者を示す。
【図２】
破風の見取図。雨押さえ、屋根パネル、周囲を取り巻くフラットガスケットと屋根フレームを含む。
【図３】
左右屋根フレーム型材と屋根パネルを図２に示した線で切った断面図。
【図４】
屋根パネルを図３の線で切った断面図。
【図５】
半透過性積層材の一部の見取図と断面図。
【図６】
閉じた状態の屋根用ヒンジの細部。屋根の周囲を取り巻くガスケットのうちのヒンジ部分を含む。
【図７】
開いた状態の屋根用ヒンジの細部。屋根の周囲を取り巻くガスケットのうちのヒンジ部分を含む。
【国際公開パンフレット】
2004501854.tif 000003
2004501854.tif 000004
2004501854.tif 000005
2004501854.tif 000006
2004501854.tif 000007
2004501854.tif 000008
2004501854.tif 000009
2004501854.tif 000010
2004501854.tif 000011
2004501854.tif 000012
2004501854.tif 000013
2004501854.tif 000014
2004501854.tif 000015
2004501854.tif 000016
2004501854.tif 000017
【国際調査報告】
2004501854.tif 000018
2004501854.tif 000019
2004501854.tif 000020
2004501854.tif 000021
2004501854.tif 000022
2004501854.tif 000023